(57)【特許請求の範囲】
【請求項１】
第一の平面状部材と、第二の平面状部材と、前記第一の平面状部材と前記第二の平面状部材とを連結する連結部材と、を備え、
前記第一の平面状部材と前記第二の平面状部材との間に帯まくらを介装し得る空間が画成されるように、前記第一の平面状部材と前記第二の平面状部材とが前記連結部材にて連結され、
前記第一及び第二の平面状部材並びに前記連結部材のいずれかに、帯を締結するための紐状部材が少なくとも一つ取り付けられていることを特徴とする、帯結び具。
【請求項２】
第一の平面状部材と、第二の平面状部材と、前記第一の平面状部材と前記第二の平面状部材とを連結する連結部材と、を備え、
前記第一の平面状部材と前記第二の平面状部材との間に帯を入れる空間が画成されるように、前記第一の平面状部材と前記第二の平面状部材とが前記連結部材にて連結され、
前記第一及び第二の平面状部材並びに前記連結部材のいずれかに、帯を締結するための紐状部材が少なくとも一つ取り付けられていることを特徴とする、帯結び具。
【請求項３】
前記第一の平面状部材と前記第二の平面状部材とこれらを連結する連結部との間に画成される空間が、この空間内に入れる帯まくらを連結部材上に載置し得るように、凹状に画成されることを特徴とする、請求項１又は２の帯結び具。
【請求項４】
前記連結部材が前記第一の平面状部材の面内中程の位置或いは中程から上方又は下方にずれた位置にて連結されて構成され、前記第一の平面状部材の前記連結部材との連結箇所より下方が、二つ折りにされた帯の間に差し込まれて使用されることを特徴とする、請求項１〜３の何れかに記載の帯結び具。
【請求項５】
前記第一及び第二の平面状部材と前記連結部材とが、それぞれ細線を用いてフレーム状に形成されていることを特徴とする、請求項１〜４のいずれかに記載の帯結び具。
【請求項６】
前記第一及び第二の平面上部材並びに前記連結部材が、それぞれ一体に構成されていることを特徴とする、請求項１〜５のいずれかに記載の帯結び具。
【請求項７】
お太鼓等の帯の結び目を形作るための帯結び具であって、
第一の枠と紐等の連結手段にて前記第一の枠に取り付けられる第二の枠とを備え、
前記第一の枠が正方形状又は矩形状に形成され、さらに、前記第一の枠はその左右の枠部の上下方向の上枠部よりの中間位置に前記上部枠と平行に横枠部を架設して構成されており、
前記第二の枠は、
前記第一の枠の下枠部の幅長よりも短い長さの下枠部と、
この下枠部の両端から上方へ延設され、且つ前記第一の枠の下枠部と前記横枠部との間距離の長さに設定された左右の枠部と、
これら左右の枠部からそれぞれ前方に突き出されて延設された突出枠部と、
これらの突出枠部の端部同士を連結するように延設された環状又は矩形状の枠部と、を備えて構成され、
前記第二の枠の下枠部が前記第一の枠の下枠部に平行に連結手段により連結され、前記第二の枠の左右の枠部と突出枠部との付け根が前記第一の枠の横枠部と当接し、且つこれらの付け根から前方にある前記突出枠部と前記環状又は矩形状の枠部とが前記第一の枠の上枠部と横枠部との間に介在する開口に差し込まれた状態で前記第二の枠が紐等の連結手段により前記第一の枠と連結されており、
さらに、前記第一の枠の横枠部から上方の枠部分と前記第二の枠の環状又は矩形状の枠部との間に帯まくらが入り込むことが可能な空間が形成されるように構成されていることを特徴とする帯結び具。
【発明の詳細な説明】
【０００１】
【発明の属する技術分野】
本発明は帯結びの補助具に関し、特にお太鼓や飾り帯等の結び目を着物の着用者が一人で形作ることができるように帯結びを補助する帯結び具に関する。
【０００２】
【従来の技術】
女性が和服を着装する際に、着用者の後部側（背中側）でお太鼓や飾り帯などの各種帯飾り・結び目を形作ることが行われている。特に、飾り帯などの帯締め作業は、帯飾りや結び目が複雑であるため、一般的に熟練した補助者の手助けにより行われている。
【０００３】
【発明が解決しようとする課題】
このように、複雑な帯飾りや結び目を形作る作業は、特に複雑で且つ創作的な種々の飾り帯を形成しようとするときは、着物着用者の背中側で行わなければならないので、着物の着用者自身が行うことはたいへんに難しかった。
また、飾り帯を形作る場合は、一定の飾りの形が維持されるよう、別途補助用の紐（帯揚げ・帯締め以外の紐）を用意し、その補助紐で帯の飾りを作って、型崩れしないよう着用者の体にきつく結びつけなければならない。この紐が着物着用者の体にきつく捲回されるため、着物着用者はその紐の締めつけにより過度の負担（負荷・圧迫感）を受けていた。
【０００４】
さらに、お太鼓や飾り帯等の帯の結び目は着物着用者の背中側の上方、首の真下付近に位置するように形作られるが、その位置に結び目を定着させることは難しく、容易に下方にずれてしまう。着物着用者は、結び目が下方にずれる度に結び目を背中上方に位置するように帯の締め直し等を行わなければならない。
そこで、本発明はこのような課題を解決するために創作されたものであり、着物の着用者がお太鼓や飾り帯などの各種結び目を一人で形作る作業を補助するための帯結び具を提供することを第一の目的とする。
また、第二の目的として、簡易な作業で多種多様な結び目や帯飾りを容易に形作ることができる帯結び具を提供することも目的としている。
【０００５】
【課題を解決するための手段】
上記目的を達成するために、本発明の帯結び具は、第一の平面状部材と、第二の平面状部材と、前記第一の平面状部材と前記第二の平面状部材とを連結する連結部材と、を備え、前記第一の平面状部材と前記第二の平面状部材との間に帯まくらを介装し得る又は帯を入れる空間が画成されるように、前記第一の平面状部材と前記第二の平面状部材とが前記連結部材にて連結され、第一及び第二の平面状部材並びに連結部材のいずれかに、帯を締結するための紐状部材が少なくとも一つ取り付けられていることを特徴としている。
【０００６】
さらに、前記第一の平面状部材と前記第二の平面状部材とをほぼ垂直に立てた場合に、前記空間内に帯まくらが入れられると、この帯まくらが前記連結部材上に載置されるように、前記第一の平面状部材と前記第二の平面状部材との間に前記連結部材が設けられるのが望ましい。
さらに、前記連結部材は前記第一の平面状部材の面内中程の位置或いは中程から上方又は下方にずれた位置にて連結されて構成され、前記第一の平面状部材の前記連結部材との連結箇所より下方が、二つ折りにされた帯の間に差し込まれて使用される。
【０００７】
さらに、前記第一及び第二の平面状部材と前記連結部材とは、好ましくはそれぞれ細線を用いてフレーム状に形成されている。
また、前記第一及び第二の平面上部材並びに前記連結部材は、それぞれ一体に構成されていてもよい。
【０００８】
また、上記課題を解決するために、本発明の帯結び具は、お太鼓等の帯の結び目を形作るための帯結び具であって、第一の枠と、紐等の連結手段にて前記第一枠に取り付けられる第二の枠と、を備え、前記第一の枠が正方形状又は矩形状に形成され、さらに、前記第一の枠はその左右の枠部の上下方向の上枠部よりの中間位置に前記上部枠と平行に横枠部を架設して構成されており、前記第二の枠は、前記第一の枠の下枠部の幅長よりも短い長さの下枠部と、この下枠部の両端から上方へ延設され、且つ前記第一の枠の下枠部と前記横枠部との間距離の長さに設定された左右の枠部と、これら左右の枠部からそれぞれ前方に突き出されて延設された突出枠部と、これらの突出枠部の端部同士を連結するように延設された環状又は矩形状の枠部と、を備えて構成され、前記第二の枠の下枠部が前記第一の枠の下枠部に平行に連結手段により連結され、前記第二の枠の左右の枠部と突出枠部との付け根が前記第一の枠の横枠部と当接し、且つこれらの付け根から前方にある前記突出枠部と前記環状又は矩形状の枠部とが前記第一の枠の上枠部と横枠部との間に介在する開口に差し込まれた状態で前記第二の枠が紐等の連結手段により前記第一の枠と連結されており、さらに、前記第一の枠の横枠部から上方の枠部分と前記第二の枠の環状又は矩形状の枠部との間に帯まくらが入り込むことが可能な空間が形成されるように構成されていることを特徴としている。
【０００９】
【発明の実施の形態】
以下、図面を用いて本発明の実施形態を説明する。
図１は本発明の第一実施形態に係る帯結び具１を示す斜視図であり、この帯結び具１は、図１に示すように、第一の枠１０とそれに取り付けられた第二の枠２０とを備えて構成されている。
【００１０】
この第一の枠１０は、図２（ａ）〜（ｃ）に示すように、平面状に構成されており、その外形（輪郭）は矩形状であり、並列に配置された左右の枠部１１ａ，１１ｂの上下方向の上枠部１２よりの中間位置に上枠部１２と平行に横枠部１３が架設されている。このように、第一の枠１０は、複数の棒状部材が連結されて構成されたような骨状に（フレーム状に）形作られる。また、第一の枠１０には、その平面内部に大小２つの開口１５ａ，１５ｂが設けられている。
なお、第一の枠１０は矩形状又は正方形状に形成される他、円弧状，三角形状などの多様な形態に形作られたものであってもよい。
【００１１】
一方、第二の枠２０は、図３（ａ）〜（ｃ）に示すように、第一の枠１０の下枠部１４の幅長Ｌ１よりも短い長さＬ２（＜Ｌ１）の下枠部２１と、この下枠部２１の両端から上方へ延設され、且つ第一の枠１０の下枠部１４と横枠部１３との距離Ｌ３の長さと同長に設定された左右の枠部２２ａ，２２ｂと、これらの左右の枠部２２ａ，２２ｂからそれぞれ前方に突き出されて延設された突出枠部２３ａ，２３ｂと、これらの突出枠部２３ａ，２３ｂの端部同士を連結するように延設された矩形状の押さえ枠部２４と、を備えて構成されている。
なお、押さえ枠部２４は、矩形状の他、円形、三角形状、正方形状などに形成されてもよい。
【００１２】
また、この第二の枠２０は、図２（ｂ）及び（ｃ）に示すように、下枠部２１と左右の枠部２２ａ，２２ｂとが配置されている面Ａ１と、押さえ枠部２４が配置される面Ａ２とは、突出枠部２３ａ，２３ｂをその間に介装されることにより、突出枠部２３ａ，２３ｂの高さだけずらされて構成されている。
【００１３】
そして、このように構成された第二の枠２０は紐などの連結手段により、第一の枠１０に取り付けられる。ここで、図１に示すように、第二の枠２０の下枠部２１は第一の枠１０の下枠部１４にそれと平行な状態で紐３０により連結され、さらに第二の枠２０の左右の枠部２２ａ，２２ｂと突出枠部２３ａ，２３ｂとの付け根２５ａ，２５ｂが第一の枠１３と当接し、且つこれらの付け根２５ａ，２５ｂから前方にある突出枠部２３ａ，２３ｂと押さえ枠部２４とが第一の枠１０の上枠部１２と横枠部１３との間に介在する開口１５ａに差し込まれた状態で紐３１により第二の枠２０は第一の枠１０と連結されている。
このように第一の枠１０と第二の枠２０とが連結されることで、第一の枠１０の横枠部１３から上方の枠部分と第二の枠２０の押さえ枠部２４との間に帯まくらが入り込むことが可能な空間Ｓ（図１参照）が形成される。
【００１４】
上記した第一の枠１０及び第二の枠２０は、例えば直径が２〜３ミリメートルの針金（則ち、細線）で形成されているが、例えばプラスチックや金属パイプ、竹、籐などの材料で形成されてもよい。これらの材料として、好ましくは、多少の可撓性を有する素材でなるのが望ましい。また、第一の枠１０及び第二の枠２０は、好ましくは、上記針金などを芯材とし、さらにそのまわりをビニールでコーティングされていれば、着物を傷つけないようにするためにも望ましい。また、第一の枠１０や第二の枠２０の表面は、紐３０，３１が巻回されることから、滑り止め加工されて構成されるのが望ましい。
【００１５】
上記説明では、第一の枠１０に第二の枠２０がそれぞれ別体に形成される場合を例示したが、図４に示すように、帯結び具１は、第一の枠１０と第二の枠２０とが一体に形成されたものであってもよい。また、図４に示す帯結び具１は、図中に二点鎖線で示すように、図３の第二の枠２０の左右の枠部２２ａ，２２ｂに相当する線材を設けて構成されるのが望ましい。更に、このような線材（２２ａ，２２ｂ）は二本に限らず複数本設けられても良い。また、図１や図４に示す帯結び具１においては突出枠部２３ａ，２３ｂを二つ備えた例を示したが、突出枠部の数はそれに限らず、例えば、図５に示すように一本で構成されてもよい。
【００１６】
以下、本発明の帯結び具１の使用方法について、帯結び具１を用いてお太鼓を結ぶ一例を説明する。
先ず、図６に示すように、帯結び具１の横枠部１３と右枠部１１ｂとの交差箇所に、帯を帯結び具１に結びつけるための紐（補助紐）４０を取り付ける。
【００１７】
図７に示すように、帯５０を開き、帯５０の幅中間当たりに帯結び具１の底辺が位置するように帯５０の上に帯結び具１を置き、さらに図８に示すように、帯内に帯結び具１の一部が隠れるように、帯５０を２つ折りにする。そして、この状態で帯結び具１が体の前面（腹側）に位置するように持ってきて、図９に示すように、帯５０の手を手前（体の方）に折る。
【００１８】
そして、帯５０の垂れを体まわりに二巻させ、垂れを手前方向（自分の体の方）に折り、ヒダを作って、紐４０を用いて帯５０を帯結び具１に結びつける（図１０参照）。さらに、帯の手をもう一度自分の方に折り、垂れは帯の表を出して広げる（図１１参照）。
【００１９】
次に、垂れの裏側で垂れ先から２５〜３０センチのところに、帯まくら６０の丸い方を当てる。ここで、図１２は、着物着用者を横から見た図である。そして、図１３に示すように、帯まくら６０を覆う帯山を帯結び具１の第一の枠１０と第二の枠２０との間、即ち空隙Ｓ内に挟み入れ、さらに帯５０の垂れが帯結び１を覆うように帯５０の垂れ先を垂れ下げるとともに、帯５０の垂れの内側に手先を通し、お太鼓の決め線を人さし指で折り上げる。
【００２０】
次に、着物着用者から見て体の右側の帯５０の手をおろし、着物着用者の前面（腹部上）で折り畳まれたお太鼓内側に帯５０の手を入れる（図１４参照）。
【００２１】
そして、図１５に示すように、帯締め６１を帯幅の中央に通し、着物着用者の背面（背中上：体の後側）で帯締め６１を仮結びする。
【００２２】
次に、着用者はやや腹をへこませた状態で帯５０を掴み、着用者から見て右側に向けてゆっくり帯全体をまわし、お太鼓が背中まで位置するように移動させる（図１６参照）。その後、帯締め６１等を形よく結び直し、お太鼓結びが完成する。なお、図には、帯揚げの記載を省略したが、上記お太鼓を結ぶ途中で帯まくら６０を包むように帯揚げをかけてもよい。
【００２３】
このように、本発明の第一実施形態に係る帯結び具１によれば、着物着用者の前面で帯結びの作業を行えるので、一人（着物着用者自身）でお太鼓を容易に形作ることができる。
【００２４】
また、本発明の第一実施形態に係る帯結び具１によれば、帯結び作業の過程で、図１０に示すように紐（補助紐）４０を用いて帯結び具１に帯５０の一部を結び付けたり、図１３に示すように帯まくら６０を帯結び具１にて支えたりすることができる。
ここで、従来の手法による帯結び作業では、帯結び作業の途中で、帯が解けないよう仮ひもを体に巻き付けて、これにより帯の一部を体にきつく結びつけていた。このような仮ひもによる締めつけ（負荷・圧迫感）を着用者は受けていた。しかしながら、本発明の帯結び具１を用いれば、仮ひもを体まわりに結びつけるのではなく、紐（補助紐）４０を帯結び具１に結びつけるので、着物着用者の負担を軽減することができる。
【００２５】
また、本発明の第一実施形態に係る帯結び具１は着物着用者の体に固く巻かれた帯５０の間に入れられて使用されることから、帯結び具１自体が下方に落ちたり又はずれたりすることが防止される。よって、帯結び具１に取り付けた帯の一部や帯まくら６０が下方に落ちる事態も抑制することができるので、お太鼓結びを長時間にわたって維持することができる。
因みに、本帯結び具１を使用しないでお太鼓結びを形作った場合には、帯まくらなどが下方にズレ落ちるのを有効に抑制することはできない。
【００２６】
以上の説明では、お太鼓結びを例に本発明の第一実施形態に係る帯結び具１の使用方法を説明したが、その他の帯結びも着用者が一人で結ぶことができる。なお、他の帯結びを形作る場合も、お太鼓の場合と同様に、着用者の前面（腹部上）で帯飾りを形作り、その後帯全体を体の背面にずらすことで、帯結びを完成できる。
【００２７】
ここで、本発明の第一実施形態に係る帯結び具１を用いた他の帯結びの一例を説明する。
他の帯結びの一例を説明するにあたり、上記図７〜図１１で説明した過程は同じであり、図７に示すように、帯５０を開き、帯５０の幅中間当たりに帯結び具１の底辺が位置するように帯５０の上に帯結び具１を置き、図８に示すように、帯内に帯結び具１の一部が隠れるように帯５０を２つ折りにする。この状態で帯結び具１が体の前面（腹側）に来るように位置合わせし、図９に示すように、帯５０の手を手前（体の方）に折る。
【００２８】
次に、帯５０の垂れを体まわりに二巻させ、垂れを手前方向（自分の体の方）に折り、ヒダを作って、紐４０を用いて帯５０を帯結び具１に結びつける（図１０参照）。さらに、帯の手をもう一度自分の方に折り、垂れは帯の表を出して広げる（図１１参照）。ここで、図１７に示すように、帯５０の手を帯結び具１の後ろ側に持ってくる。そして、突出枠部２３ｂと押さえ枠部２４との付け根に紐４１を取り付ける。
【００２９】
次に、図１８に示すように、第一の枠１０と第二の枠２０との間の空隙内に帯５０の垂れを入れて、幾重かに重ね折る。このように重ね折ることで、羽根５１〜５４が形作られる。なお、図１８は、帯結び具１とその空隙内で折り畳まれる帯５０を上方から見た図である。
【００３０】
次に、図１９に示すように、紐４１を用いて羽根５１〜５４を纏めて帯結び具１に固定する。そして、この結び部分を覆うように、帯５０の手を図２０に示すように下におろす。
【００３１】
次に、図２１に示すように帯まくら６０を帯結び具１と帯５０との間に入れ、図２２に示すように垂れている帯５０の手を内側に曲げ、その曲げ部分を着用者側に押しつけるように帯締め６１で締め、帯締め６１は体の背面で結ぶ。
【００３２】
次に、着用者はやや腹をへこませた状態で帯５０を掴み、着用者から見て右側に向けてゆっくり帯全体をまわし（図２３参照）、帯飾りの羽根５１〜５４が背中まで位置するように移動させる。その後、帯締め６１（図示を省略するが帯揚げ）等を形よく結び直し、帯結びを完成させる。
【００３３】
このように、帯５０を帯結び具１に紐を用いて取り付けることで、結び目を体の前面で形作ることができ、さらに帯全体を胴まわりに容易に廻すことができるので、着物着用者が一人で帯結びを形作ることができる。
【００３４】
また、本発明の第一実施形態に係る帯結び具１によれば、帯結び作業の過程で、図１７や図１９に示すように紐（補助紐）４０，４１を用いて帯結び具１に帯５０の一部を結び付けることができる。
ここで、従来の手法による帯結び作業では、帯結び作業の途中で仮ひもを体に巻き付けて、これにより帯の一部を体に結びつけていた。着用者はこのような仮ひもによる締めつけ（負荷・圧迫感）を受けていた。
しかしながら、本発明の帯結び具１を用いれば、仮ひもを体まわりに結びつけるのではなく、紐（補助紐）４０，４１を帯結び具１に結びつけるだけであるので、着用者の負担を軽減することができる。
【００３５】
上記説明においては帯結び具１がフレーム状に構成される場合を例示したが、それに限られるものではない。
ここで、図２４は、本発明の第二実施形態に係る帯結び具１０１を示す斜視図である。この図２４に示す帯結び具１０１はその各構成部材がプレートで形成されていることを特徴とし、第一の平面状部材１１０と、第二の平面状部材１２０と、連結部材１３０とを備えて構成されている。
なお、第一の平面板状部材１１０は第一実施形態の第一の枠１０に相当し、第二の平面状部材１２０は第一実施形態の押さえ枠部２４に相当し、連結部材１３０は第一実施形態の突出枠部２３ａ，２３ｂに相当するものであり、第一実施形態の帯結び具１は第二実施形態の帯結び具１０１の各板状部材１１０，１２０，１３０をフレーム状に構成した場合の構成例である。
【００３６】
図２４に示すように、帯結び具１０１は、第一の平面状部材１１０と第二の平面状部材１２０との間に帯まくらを介装し得る空間Ｓが画成されるように、第一の平面状部材１１０と第二の平面状部材１２０とが連結部材１３０にて連結されている。
また、連結部材１３０は、図２４に示すように、第一の平面状部材１１０の面内中程の中程から上方にずれた位置にて連結されている。なお、連結部材１３０の第一の平面状部材１１０に対する取り付け位置は、それに限らず第一の平面状部材１１０の面内中程の位置或いは中程から下方にずれた位置にて連結されて構成されていてもよい。
【００３７】
図２４に示す各板状部材１１０，１２０，１３０は、例えば、プラスティックや樹脂などによりそれぞれ個別に形成され、それらを接着や熱溶着などにより繋げることで、帯結び具１０１が構成される。
また、帯結び具１０１の軽量化のために、図２４に示すように、各板状部材１１０，１２０，１３０に貫通孔（図中の二点鎖線）を形成してもよい。また、紐４０，４１等を取り付けるための貫通孔１２０，１２１を設けてもよい。
このように構成された帯結び具１０１の使用方法は、上記第一実施形態の帯結び具１と同様であるので、その詳細は省略する。
【００３８】
上記帯結び具をフレーム及びプレートのいずれかで構成する場合を説明したが、フレームとプレートとを組み合わせて構成することもできる。
ここで、図２５は、本発明の第二実施形態に係る帯結び具の変形例を示す斜視図である。
図２５（ａ）及び（ｂ）に例示する帯結び具１０１Ａは、構成部材の一部がプラスチック等のプレートで構成され、その他を上記針金などの細線を用いてフレーム状に構成されている。
具体的には、図２５（ａ）に示す帯結び具１０１Ａは、第一の平面状部材１１０の連結部材１３０との連結箇所より下方部位がフレーム状に構成され、第一の平面状部材１１０の連結部材１３０との連結箇所より上方部位がプレートにて構成されている。
また、図２５（ｂ）に示す帯結び具１０１Ａは、連結部材１３０が二本の針金、則ち第一実施形態の突出枠部２３ａ，２３ｂの細線で構成され、その他の第一及び第二の平面状部材１１０，１２０がプラスチックのプレートで構成されている。
なお、応用例に係る帯結び具を図２５にて例示したが、その他の構成であってもよい。
【００３９】
上記で説明した帯結び具１の使用に際し、図１０，図１７や図１９に示される紐（補助紐）４０，４１は、好ましくは帯５０の色彩と同系色のものを用いるのが望ましい。また、上記した帯結び具１，１０１は、大人用であっても、子供用であっても、又各種の舞踊，舞台用の衣裳であってもよく、着物の種類並びに用途を問わず、用いることができる。
なお、本発明の実施形態に係る帯結び具１を用いることにより、四十肩や五十肩等で腕を背中にまわすの容易でない人が着物を一人で着用する場合にも有効である。すなわち、帯飾りを体の前面で形作ることができ、その形が完成後、帯全体を回転させて、帯締め等を形よく結び直せば、帯結びが完成する。
上記詳述した以外に、本発明は、発明の趣旨を逸脱しない範囲において、様々な形態で実施できる。
【００４０】
【発明の効果】
以上の如く、本発明の帯結び具によれば、着物着用者の前面で帯結びの作業を行えるので、一人（着用者自身）でお太鼓を容易に形作ることができる。
【００４１】
また、従来の手法による帯結び作業では、帯結び作業の途中で仮ひもを体に巻き付けて、これにより帯の一部を体に結びつけていたので、着用者は仮ひもによる締めつけ（負荷・圧迫感）を受けていた。しかしながら、本発明の帯結び具によれば、仮ひもを体まわりに結びつけるのではなく、紐（補助紐）を帯結び具に結びつけるので、着用者の負担を軽減することができる。
【００４２】
また、本発明の帯結び具は着用者の体に固く巻かれた帯の間に介挿されて使用されることから、帯結び具自体が下方に落ちる又はずれる作用は抑制される。よって、帯結び具に取り付けた帯の一部や帯まくらが下方に落ちるのも防止でき、お太鼓結びなど各種の飾り帯を長時間にわたって維持することができる。
【図面の簡単な説明】
【図１】本発明の第一実施形態に係る帯結び具１を示す斜視図である。
【図２】（ａ）は本発明の第一実施形態に係る第一の枠を示す斜視図、（ｂ）は（ａ）のＡ−Ａ線断面図、（ｃ）は（ａ）のＢ−Ｂ線断面図である。
【図３】（ａ）は本発明の第一実施形態に係る第二の枠を示す斜視図、（ｂ）は（ａ）のＡ−Ａ線断面図、（ｃ）は（ａ）のＢ−Ｂ線断面図である。
【図４】本発明の第一実施形態に係る帯結び具の他の構成例を示す図である。
【図５】本発明の第一実施形態に係る帯結び具の他の構成例を示す図である。
【図６】本発明の第一実施形態に係る帯結び具の使用方法を説明するための図である。
【図７】本発明の第一実施形態に係る帯結び具の使用方法を説明するための図である。
【図８】本発明の第一実施形態に係る帯結び具の使用方法を説明するための図である。
【図９】本発明の第一実施形態に係る帯結び具の使用方法を説明するための図である。
【図１０】本発明の第一実施形態に係る帯結び具の使用方法を説明するための図である。
【図１１】本発明の第一実施形態に係る帯結び具の使用方法を説明するための図である。
【図１２】本発明の第一実施形態に係る帯結び具の使用方法を説明するための、着物着用者を横方向から見た図である。
【図１３】本発明の第一実施形態に係る帯結び具の使用方法を説明するための、着物着用者を横方向から見た図である。
【図１４】本発明の第一実施形態に係る帯結び具の使用方法を説明するための図である。
【図１５】本発明の第一実施形態に係る帯結び具の使用方法を説明するための図である。
【図１６】本発明の第一実施形態に係る帯結び具の使用方法を説明するための図である。
【図１７】本発明の第一実施形態に係る帯結び具の使用方法を説明するための図である。
【図１８】本発明の第一実施形態に係る帯結び具の使用方法を説明するための図である。
【図１９】本発明の第一実施形態に係る帯結び具の使用方法を説明するための図である。
【図２０】本発明の第一実施形態に係る帯結び具の使用方法を説明するための図である。
【図２１】本発明の第一実施形態に係る帯結び具の使用方法を説明するための、着物着用者を横方向から見た図である。
【図２２】本発明の第一実施形態に係る帯結び具の使用方法を説明するための、着物着用者を横方向から見た図である。
【図２３】本発明の第一実施形態に係る帯結び具の使用方法を説明するための図である。
【図２４】本発明の第二実施形態に係る帯結び具を示す斜視図である。
【図２５】（ａ）及び（ｂ）は、それぞれ本発明の第二実施形態に係る帯結び具の変形例を示す斜視図である。
【符号の説明】
１，１０１，１０１Ａ    帯結び具
１０    第一の枠
１１ｂ  右枠部
１２    上枠部
１３    横枠部
１４，２１      下枠部
１５ａ，１５ｂ  開口
２０    第二の枠
２２ａ，２２ｂ    左右の枠部
２３ａ，２３ｂ    突出枠部
２４    押さえわく部
３０，３１，４０，４１    紐
５０    帯
５１〜５４    羽根
６０    帯まくら
６１    帯締め
１１０  第一の平面状部材
１２０  第二の平面状部材
１２０，１２１  貫通孔
１３０  連結部材
【図１】
0003671221.tif 000002
【図２】
0003671221.tif 000003
【図３】
0003671221.tif 000004
【図４】
0003671221.tif 000005
【図５】
0003671221.tif 000006
【図６】
0003671221.tif 000007
【図７】
0003671221.tif 000008
【図８】
0003671221.tif 000009
【図９】
0003671221.tif 000010
【図１０】
0003671221.tif 000011
【図１１】
0003671221.tif 000012
【図１２】
0003671221.tif 000013
【図１３】
0003671221.tif 000014
【図１４】
0003671221.tif 000015
【図１５】
0003671221.tif 000016
【図１６】
0003671221.tif 000017
【図１７】
0003671221.tif 000018
【図１８】
0003671221.tif 000019
【図１９】
0003671221.tif 000020
【図２０】
0003671221.tif 000021
【図２１】
0003671221.tif 000022
【図２２】
0003671221.tif 000023
【図２３】
0003671221.tif 000024
【図２４】
0003671221.tif 000025
【図２５】
0003671221.tif 000026